(57)【要約】【課題】本発明は、従来にない作用効果を発揮する画期的な配管洗浄装置を提供することを目的とする。【解決手段】洗浄したい配管１内に洗浄液Ｗを供給して該配管１内を洗浄するための配管洗浄装置であって、洗浄液Ｗを収納する洗浄液収納容体２には該洗浄液収納容体２内に収納された洗浄液Ｗに没入状態となる容体３が設けられ、この容体３は該容体３内に空気を圧送し得る空気圧送部４が設けられ、更に、この容体３には該容体３内に前記洗浄液Ｗを導入する第一開閉弁５付きの洗浄液導入部６及び該容体３内の洗浄液Ｗを導出し洗浄したい配管１に接続する第二開閉弁７付きの洗浄液導出部８が設けられ、前記空気圧送部４によって容体３内を加圧した場合には、第一開閉弁５が閉塞し第二開閉弁７が開放した状態となって容体３内の洗浄液Ｗが洗浄液導出部８から導出され、空気圧送部４によって容体３内を加圧しない場合には、第二開閉弁７が閉塞し第一開閉弁５が開放した状態となって洗浄液収納容体２内の洗浄液Ｗが洗浄液導入部６から容体３内に導入されるように構成されたものである。【選択図】        図１
2004298796.tif 000002
【特許請求の範囲】
【請求項１】
洗浄したい配管内に洗浄液を供給して該配管内を洗浄するための配管洗浄装置であって、洗浄液を収納する洗浄液収納容体には該洗浄液収納容体内に収納された洗浄液に没入状態となる容体が設けられ、この容体は該容体内に空気を圧送し得る空気圧送部が設けられ、更に、この容体には該容体内に前記洗浄液を導入する第一開閉弁付きの洗浄液導入部及び該容体内の洗浄液を導出し洗浄したい配管に接続する第二開閉弁付きの洗浄液導出部が設けられ、前記空気圧送部によって容体内を加圧した場合には、第一開閉弁が閉塞し第二開閉弁が開放した状態となって容体内の洗浄液が洗浄液導出部から導出され、空気圧送部によって容体内を加圧しない場合には、第二開閉弁が閉塞し第一開閉弁が開放した状態となって洗浄液収納容体内の洗浄液が洗浄液導入部から容体内に導入されるように構成されていることを特徴とする配管洗浄装置。
【請求項２】
請求項１記載の配管洗浄装置において、前記洗浄液収納容体内には前記容体が複数設けられ、各洗浄液導出部から別々に洗浄液が洗浄したい配管に導入されるように構成されていることを特徴とする配管洗浄装置。
【発明の詳細な説明】
【０００１】
【発明の属する技術分野】
本発明は、配管洗浄装置に関するものである。
【０００２】
【従来の技術及び発明が解決しようとする課題】
従来から、洗浄したい配管、例えば金型若しくは射出成形機内に配設される冷却水流通用の配管を洗浄するための配管洗浄装置（以下、従来例という。）が提案されている。
【０００３】
この従来例は、配管の冷却水導入口に接続して洗浄液を配管内に導入するための洗浄液導入管材と、配管の冷却水導出口に接続して配管内を通過した洗浄液を導出するための洗浄液導出管材と、この配管，洗浄液導入管材及び洗浄液導出管材で形成される洗浄液循環路に駆動モーターの駆動によって洗浄液を循環させる循環機構とから成る構造のものである。
【０００４】
ところが、本出願人は、この従来例について実際に試してみたところ、単に洗浄液を循環させるだけでは良好に汚れを落としきれないことを確認した。従来においても強力な駆動モーターを使用して水流を強くしたり、ヒーターを設けて洗浄液を温めるなど、洗浄効果の向上を目的とした種々の工夫が試みられているが、いずれも洗浄効果は不十分であり、しかも、装置自体が大型化・複雑化してしまうといった設置作業性及びコスト性に問題点がある。
【０００５】
本出願人は、上述した問題点に着目し、種々の実験・研究を重ねた結果、従来にない画期的な作用効果を発揮する配管洗浄装置を開発した。
【０００６】
【課題を解決するための手段】
添付図面を参照して本発明の要旨を説明する。
【０００７】
洗浄したい配管１内に洗浄液Ｗを供給して該配管１内を洗浄するための配管洗浄装置であって、洗浄液Ｗを収納する洗浄液収納容体２には該洗浄液収納容体２内に収納された洗浄液Ｗに没入状態となる容体３が設けられ、この容体３は該容体３内に空気を圧送し得る空気圧送部４が設けられ、更に、この容体３には該容体３内に前記洗浄液Ｗを導入する第一開閉弁５付きの洗浄液導入部６及び該容体３内の洗浄液Ｗを導出し洗浄したい配管１に接続する第二開閉弁７付きの洗浄液導出部８が設けられ、前記空気圧送部４によって容体３内を加圧した場合には、第一開閉弁５が閉塞し第二開閉弁７が開放した状態となって容体３内の洗浄液Ｗが洗浄液導出部８から導出され、空気圧送部４によって容体３内を加圧しない場合には、第二開閉弁７が閉塞し第一開閉弁５が開放した状態となって洗浄液収納容体２内の洗浄液Ｗが洗浄液導入部６から容体３内に導入されるように構成されていることを特徴とする配管洗浄装置に係るものである。
【０００８】
また、請求項１記載の配管洗浄装置において、前記洗浄液収納容体２内には前記容体３が複数設けられ、各洗浄液導出部８から別々に洗浄液Ｗが洗浄したい配管１に導入されるように構成されていることを特徴とする配管洗浄装置に係るものである。
【０００９】
【発明の作用及び効果】
本出願人は、前述した従来例の洗浄効果が不十分である理由として、単に駆動モーターの駆動によって洗浄液を循環させるだけでは、配管内に一定の流れが生じるだけであり（洗浄液Ｗの流れは、配管の中心部では早く、配管内の汚れが付着している内壁面付近では遅い）、よって、実際には配管１内では汚れを落としにくい状態で洗浄液Ｗが流れていることに着目し、このことから洗浄液Ｗの流れに変化をつけることによって良好な洗浄効果が得られることを見出した。
【００１０】
そこで、本出願人は、この観点から種々の実験・研究を繰り返し行い、その結果、極めて画期的な本発明を完成した。
【００１１】
本発明は、洗浄したい配管１を洗浄する際、空気圧送部４により容体３内を加圧すると、第一開閉弁５が閉塞し第二開閉弁７が開放した状態となり容体３内の洗浄液Ｗが洗浄液導出部８から洗浄したい配管１内に洗浄液Ｗが供給されることになる。
【００１２】
また、この空気圧送部４による加圧を行わず該空気圧送部４を開放すると（容体３内を減圧すると）、第二開閉弁７が閉塞し第一開閉弁５が開放した状態となり洗浄液収納容体２内の洗浄液Ｗが洗浄液導入部６から容体３内に導入されることになる。
【００１３】
従って、洗浄したい配管１内に洗浄液Ｗを供給することができることは勿論、空気圧送部４による容体３内の加圧・減圧を繰り返し行うことで洗浄液Ｗの流れに変化をつけることができ（洗浄液Ｗを脈動状態の流れにすることができ）、よって、従来例に比して洗浄効果が飛躍的に向上し得ることになり、更に、洗浄液Ｗを供給する動力として、空気圧送部４による加圧を利用する構造であるから、前述した洗浄液Ｗの流れに変化をつけることが簡易且つ確実に行えることになる。
【００１４】
即ち、仮に従来例に係る駆動モーターで洗浄液Ｗの流れに前述のような変化をつけようとした場合、作動と停止を繰り返すことになるが、実際、駆動モーターの制御自体が困難であるのは勿論、このような操作をすると駆動モーターは直ちに焼きついてしまうなど現実的でない。
【００１５】
この点、本発明は、空気圧送部４による空気の圧送（容体３内の加圧）によって洗浄液Ｗの流れを作出するものであるから、例えば作動・停止を繰り返しても前述したような問題が生じる心配はなく（空気圧送部４は断続的な空気の圧送が良好に行える。）、確実に洗浄液Ｗの流れに変化をつけて良好な洗浄効果が得られることになり、しかも、装置自体の軽量小型化・簡素化が確実に達成されることになるから、設置作業性及びコスト性においても秀れることになる。
【００１６】
以上のように、本発明は、従来にない画期的な作用効果を発揮し、極めて商品価値の高いものになる。
【００１７】
【発明の実施の態様】
図面は本発明の一実施例を図示したものであり、以下に説明する。
【００１８】
本実施例は、洗浄したい配管１内に洗浄液Ｗを供給して該配管１内を洗浄するためのものである。尚、本実施例では洗浄したい配管１として金型若しくは射出成形機に配設される冷却水流通用の配管の場合であるが、本実施例の特性を発揮し得る配管１であれば、どのような配管１にも実施できるものである。
【００１９】
具体的には、図１に図示したように下部に移動用キャスターを有する有底角筒状のケース本体１１を設け、この本体１１は適宜な金属製であり、内部に所定量の洗浄液Ｗを収納し得る洗浄液収納容体２として構成されている。符号１２は洗浄液Ｗを排出するためのドレーンである。
【００２０】
また、洗浄液収納容体２は、その上部開口部に開閉蓋体１３が開閉自在に設けられており、この開閉蓋体１３を開放して洗浄液Ｗを収納することができる。尚、この開閉蓋体１３内には後述する空気圧送部４を制御する制御ユニットが配設されている。
【００２１】
また、洗浄液収納容体２は、その内部下方位置にして洗浄液Ｗが収納される部位に一対の同一構造の容体３が配設されている。
【００２２】
この容体３は、図１に図示したように適宜な合成樹脂製の部材を中空のケース状に形成したものであり、洗浄液収納容体２の内部に架設された取付部材１４に吊り下げ状態に設けられている。従って、この容体３は、洗浄液収納容体２内に洗浄液Ｗを収納した際、洗浄液Ｗに没入状態となる。
【００２３】
また、この容体３は、その上部に空気圧送部４が接続されている。
【００２４】
この空気圧送部４は、図１〜３に図示したように容体３の上部に連設される管状部材１５の基端部に空気圧送装置１６（エアーポンプ）を接続して構成されており、この空気圧送装置１６からは空気が常時圧送されており、管状部材１５の途中部位には供給用電磁弁１７が設けられ、この供給用電磁弁１７を制御部１８で制御することによって容体３内への空気の供給が行われることになり、更に、管状部材１５の途中部位には排出用電磁弁１９が設けられ、この排出用電磁弁１９を制御部１８で制御することによって容体３内の圧縮空気の排出が行われることになる。尚、本実施例では供給用電磁弁１７及び排出用電磁弁１９は前述した開閉蓋体１３内に配設されており、更に、管状部材１５には強制的な排気を達成する急速排気弁２０が設けられている。
【００２５】
従って、この空気圧送部４により容体３内に空気を圧送することで容体３内を高圧にすることができ、この容体３内の高圧状態は空気の圧送を停止して排出用電磁弁１９を開放すると洗浄液Ｗの水圧により圧縮空気は排出され容体３内は減圧される。
【００２６】
また、容体３は、その下部に洗浄液収納容体２内の洗浄液Ｗを導入するための洗浄液導入部６が設けられている。
【００２７】
この洗浄液導入部６は、図１〜３に図示したように容体３の下方所定位置を開口形成して構成されており、この開口部から成る弁孔６ａを開閉する第一開閉弁５が設けられている。
【００２８】
この第一開閉弁５は、適宜な金属製の部材で形成したものであり、前記空気圧送部４により容体３内が高圧の際には、降下して弁孔６ａを閉塞して洗浄液Ｗの導入を阻止し、容体３内を減圧した際には、洗浄液Ｗの水圧により浮上して弁孔６ａを開放して洗浄液Ｗの導入を許容し得る逆止弁構造として構成されている。
【００２９】
また、容体３は、その下部にして前記洗浄液導入部６と異なる箇所に容体３内の洗浄液Ｗを導出するための洗浄液導出部８が設けられている。
【００３０】
この洗浄液導出部８は、容体３の下方所定位置に洗浄液Ｗが流通する管状部２１を形成して構成されており、この管状部２１には第二開閉弁７が設けられている。
【００３１】
この第二開閉弁７は、管状部２１の弁孔２１ａを閉塞し得る球状部材２２と該球状部材２２を付勢する付勢部材２３とで構成されており、前記空気圧送部４により容体３内が高圧の際には、付勢部材２３に抗して球状部材２２が移動して弁孔２１ａを開放して洗浄液Ｗの導出を許容し、容体３内を減圧した際には、付勢部材２３の付勢により球状部材２２は弁孔２１ａを閉塞して洗浄液Ｗの導出を阻止し得る逆止弁構造として構成されている。
【００３２】
また、管状部２１は、洗浄したい配管１の先端開口部に接続される管状の接続部９が設けられており、空気圧送部４により容体３内が高圧となり、洗浄液導出部８から洗浄液Ｗが導出された際、この接続部９を介して洗浄したい配管１内に洗浄液Ｗが供給されることになる。
【００３３】
また、本実施例は、洗浄したい配管１の基端開口部に接続される戻り管材２４が設けられており、この戻り管材２４の先端部は洗浄液収納容体２内のフィルター部２５に接続されている。
【００３４】
従って、洗浄したい配管１内を通過して戻り管材２４を通過した使用済みの洗浄液Ｗはフィルター部２５を通過して洗浄液収納容体２内に収納され、再び洗浄液Ｗとして再利用されることになる。
【００３５】
以上の構成からなる本実施例に係る配管洗浄装置を使用した配管洗浄作業について説明する。
【００３６】
洗浄したい配管１に接続作業を行う。具体的には、洗浄したい配管１の先端開口部に容体３から延設される接続部９を接続し、洗浄したい配管１の基端開口部に洗浄液収納容体２から延設される戻り管材２４を接続する。予め洗浄液収納容体２内には適宜な洗浄液Ｗが収納され、容本３内にも洗浄液Ｗが充填されている。
【００３７】
先ず、本装置を作動させると、一方の容体３内に空気圧送部４から空気が圧送されて洗浄液導出部８から洗浄液Ｗが導出され、この一方の容体３内から導出された洗浄液Ｗは接続部９を介して洗浄したい配管１に供給される。
【００３８】
続いて、この一方の容体３内への空気圧送部４による加圧を停止すると共に圧縮空気を排気すると、洗浄液導出部８からの洗浄液Ｗの導出は停止し、洗浄液導入部６から一方の容体３内に洗浄液Ｗの導入が行われる。この一方の容体３内に洗浄液Ｗが導入されているのと同時に、他方の容体３内に空気圧送部４から空気が圧送されて洗浄液導出部８から洗浄液Ｗが導出され、この他方の容体３内から導出された洗浄液Ｗは接続部９を介して洗浄したい配管１に供給される。
【００３９】
続いて、この他方の容体３内への空気圧送部４による加圧を停止すると共に圧縮空気を排気すると、洗浄液導出部８からの洗浄液Ｗの導出は停止し、洗浄液導入部６から他方の容体３内に洗浄液Ｗの導入が行われる。この際、一方の容体３において洗浄液Ｗの導出が行われている。
【００４０】
以上のように一対の容体３における互い違いの洗浄液Ｗの導出入を繰り返すことで洗浄したい配管１内に順次洗浄液Ｗが供給されることになり、このようにして供給される洗浄液Ｗの流れは脈動するように変化がつけられている。
【００４１】
また、前述した本装置の制御方法を変え、一方の容体３における空気の圧送の時間を多くして容体３内を空にすると、接続部９内に空気が導入されることになり、よって、洗浄液Ｗ内に空気を混ぜることで、より一層洗浄液の流れを乱す作用が生じることになり良好な洗浄効果が得られ、また、このようにして容体３内への空気の圧送を続けることで、洗浄したい配管１内の液体を完全に押し出すこともできることになる。
【００４２】
本実施例は上述のように構成したから、洗浄したい配管１内に洗浄液Ｗを供給することができ、しかも、空気圧送部４による容体３内の加圧・減圧を繰り返し行うことで洗浄液Ｗの流れに変化をつける（脈動したような状態の流れにする）ことができることになり、よって、従来例に比して洗浄効果が飛躍的に向上し得ることになり、そして更に、洗浄液Ｗを供給する動力として、空気圧送部４による加圧を利用する構造であるから、前述した洗浄液Ｗの流れに変化をつけることが簡易且つ確実に行え良好な洗浄効果が得られることになり、装置自体の軽量小型化・簡素化が確実に達成されることになるから、設置作業性及びコスト性においても秀れることになる。
【００４３】
尚、本発明は、本実施例に限られるものではなく、各構成要件の具体的構成は適宜設計し得るものである。
【図面の簡単な説明】
【図１】本実施例を示す説明断面図である。
【図２】本実施例に係る要部の概略説明図である。
【図３】本実施例を示す回路図である。
【符号の説明】
Ｗ  洗浄液
１  洗浄したい配管
２  洗浄液収納容体
３  容体
４  空気圧送部
５  第一開閉弁
６  洗浄液導入部
７  第二開閉弁
８  洗浄液導出部
【図１】
2004298796.tif 000003
【図２】
2004298796.tif 000004
【図３】
2004298796.tif 000005